(57)【特許請求の範囲】
【請求項１】
合成樹脂のような絶縁材からなり、底板５上に周壁６を連設してボタン型電池２３の収容空間を形成したケース２と、弾性を有する導電性金属材からなり、垂直状に配設可能な方形状板体９の下部に連結板１０を連設するとともに連結板１０には端子ピン１１を延長方向に連設し、板体９の上部両側には、下面は水平状態とし、上面は先端方向へ下向き傾斜状とした一対の掛止片１２を突設した端子部材３と、弾性を有し、導電性金属材からなり、水平状に配設可能な方形状板体１５の両側に下方向へ直角に折曲した連結板１６を連設するとともに片側の連結板１６には端子ピン１７を延長して設け、板体１５には上方へ傾斜状に切り起こした端子板１８を連設した端子部材４とからなり、端子部材３は、板体９に突設した掛止片１２がケース２の内側を向くように立設して端子ピン１１をケース２の底板５から下方に突出し、端子部材５は、底板５上に水平状に設置して端子ピン１７を底板５から下方に突出し、端子部材３とは対称位置において周壁６上には電池を保持可能な掛止突起８を突設して成ることを特徴とする電池ホルダー。
【請求項２】
端子部材４には、端子ピン１７を奏する連結板１６と端子板１８との間に電池２３の接触防止用孔２５を形成して成ることを特徴とする請求項１に記載する電池ホルダー。
【請求項３】
合成樹脂のような絶縁材からなり、底板５上に周壁６を連設してボタン型電池２３の収容空間を形成したケース２と、弾性を有する導電性金属材からなり、垂直状に配設可能な方形状板体９の下部に連結板１０を連設するとともに連結板１０には端子ピン１１を延長方向に連設し、板体９の上部両側には、下面は水平状態とし、上面は先端方向へ下向き傾斜状とした一対の掛止片１２を突設した端子部材３と、弾性を有し、導電性金属材からなり、水平状に配設可能な方形状板体１５の両側に下方向へ直角に折曲した連結板１６を連設するとともに片側の連結板１６には端子ピン１７を延長して設け、板体１５には上方へ傾斜状に切り起こした端子板１８を連設し、端子ピン１７を有する連結板１６と端子板１８との間に接触防止用孔２５を形成した端子部材４とからなり、端子部材３は、板体９に突設した掛止片１２がケース２の内側を向くように立設して端子ピン１１をケース２の底板５から下方に突出し、端子部材５は、底板５上に水平状に設置して端子ピン１７を底板５から下方に突出し、端子部材３とは対称位置において周壁６上には電池を保持可能な掛止突起８を突設するとともに底板５上には接触防止用孔２５から上方へ膨出可能な突起部２６を形成して成ることを特徴とする電池ホルダー。
【請求項４】
端子部材３は、板体９の側面にコ字状に切り欠いた端子板２７を掛止板１２と同じ方向へ上向き傾斜状に突設して成ることを特徴とする請求項１、２、３に記載する電池ホルダー。
【請求項５】
端子部材３は、電池２３の円周側面にそって湾曲させて成ることを特徴とする請求項１、２、３に記載する電池ホルダー。
【発明の詳細な説明】
【０００１】
【産業上の利用分野】
本発明は電池ホルダーに関し、特に、各種の電子機器や電機機器等で使用されるボタン型電池のホルダーに関するものである。
【０００２】
【従来の技術】
携帯用通信機器、タイマー・置き時計・玩具・リモートコントロール等の家庭用生活機器、電卓・電子手帳・デジタルカメラ等の電子機器あるいは産業用測定機等の日常使用されている電子機器や電機機器等では電源としてボタン型電池が使用されている。
【０００３】
また、フアミコンゲーム機、ノート型パソコン、ノート型ワープロ等においては、通常は電源として商用電源を使用しているが、これらの機器では、例えば、不用意な電源の切りや商用電源の停電等により非通電状態が生じた時にはメモリ（記憶回路）を保護するためにメモリバックアップ回路の電源としてボタン型電池が使用されている。
【０００４】
上記する各種の機器において電源として使用するボタン型電池あるいはバックアップ電源として使用するボタン型電池は、従来は、電池のプラス電極およびマイナス電極をそれぞれ配線基板の所定の箇所に半田付けで固定していた。
しかし、ボタン型電池（以下、単に電池と称する）を配線基板に半田付けで固定した場合、消耗した電池を個人的に取り替えることが困難であること、電池の取り替えを販売店やメーカー等に依頼した場合には、取り替えるために時間を要するのでその間の機器の使用ができず、また、取り替えのために費用がかかるという問題点を有していた。
【０００５】
そこで、近年は、電池を配線基板に直接に半田付けすることなく、電池を収容可能なホルダーが使用されている。
図１３（ａ）、（ｂ）は従来の電池ホルダーの一例を示すものであり、電池ａを収容可能な空間を有する絶縁材からなるケースｂ内の片側側面に、電池ａのプラス電極と接続可能なプラス端子部材ｃを設けるとともにケースｂの底板上には電池ａのマイナス電極と接続可能なマイナス端子部材ｄを設けたものである。
【０００６】
ケースｂには、端子部材ｃを囲むようにして電池ａの掛止部ｅを水平状に突設するとともに掛止部ｅの反対側には、外方向へ拡開可能な適度の弾性を有する掛止突起ｆを設けてある。そして、各端子部材ｃ、ｄに突設した端子ピンｇをケースｂの下方に突設し、各端子ピンｇを配線基板の所定の位置に半田付けで固定するようになっている。
【０００７】
電池ａは、掛止部ｅと掛止突起ｆとの間でケースｂの収容空間内に嵌め込むだけでよく、電池ａのプラス電極は端子部材ｃと接触し、また、電池ａのマイナス電極は端子部材ｄと接触して通電可能となり、電池ａは、掛止部ｅや掛止突起ｆによって保持されることになる。
【０００８】
上記する電池ホルダーでは、電池ａの交換を個人的に行うことができるが、電池ａをケースｂ内へ嵌め込むに際し、掛止部ｅや掛止突起ｆ等によって電池ａが嵌め込み難い場合にはケースｂ全体に下方への圧力が加わるので端子ピンｇが折損したり、接触不良を起こす原因となっていた。また、ケースｂから電池ａを取り出すに際しては、電池ａが掛止部ｅや掛止突起ｆ等に引っ掛かってケースｂが上方へ引き上げられる状態となり、端子ピンｇが配線基板から抜け出たり、接触不良を起こす原因となっていた。
【０００９】
上記する従来の電池ホルダーの種々の問題点に鑑みて本願出願人は、平成１０年１０月９日に特願平１０−３０１７３２号としてケースに無理な圧力を加えることなく電池を嵌め込みやすく、また、電池を簡単に取り出し可能な改良型の電池ホルダーを提供している。
【００１０】
この電池ホルダーは、図１４（ａ）、（ｂ）に示すものであり、円形状の底板Ａ上に周壁Ｂを連設し、全体として円盤型に形成した合成樹脂のような絶縁材からなるケースＣの片側側面には、方形状の突起部Ｄを形成するとともに突起部Ｄとは対称位置において周壁Ｂ上には、Ｌ字型に形成して上端部を内側へ水平に向けた掛止突起Ｅが突設してある。
突起部Ｄには電池のプラス電極と接続可能なプラス側端子部材Ｆが取り付けられ、底板Ａ上には電池のマイナス電極と接続可能なマイナス側端子部材Ｇが取り付けられる。
【００１１】
弾性を有し、導電性金属材からなる端子部材Ｆは、図１５に示すように、下向きコ字形状とした固定部Ｈの前部に、前方へ半円状に湾曲させた端子板Ｉを一体に連設した形状を有しており、固定部Ｈ両側の連結板Ｊの下方には配線基板への接続用端子ピンＫが延長して設けてある。
両側の連結板Ｊは、突起部Ｄの両側に形成した図示しないスリット内に差し込んで固定し、端子ピンＫは突起部Ｄの下方に突設させ、端子板Ｉは、ケースＣ内の電池の収容空間に向けて配置するようになっている。
【００１２】
また、弾性を有し、導電性金属板からなる端子部材Ｇは、図１６に示すように、方形状板体Ｌの両側下方向へ連結板Ｍを直角に連設するとともに片側の連結板Ｍには配線基板への接続用端子ピンＮを延長して設けてある。そして、板体Ｌの中央部には、連結基部から先端部を上方へ傾斜状に切り起こした端子板Ｏが連設してある。
両連結板Ｍは、ケースＣの底板Ａに形成したスリット（図示せず）に差し込んで固定し、端子ピンＮはケースＣの下方に突設してある。
【００１３】
上記する電池ホルダーにおいて、図１７に鎖線で示すように、電池Ｐを斜めの状態にして掛止突起Ｅの下方に差し込み、次ぎに、電池Ｐを水平状態にして端子板Ｉを突起部Ｄ側へ傾斜状に押し出すようにしてケースＣの収容空間内に電池Ｐを嵌め込めば、電池Ｐは掛止突起Ｅと端子部材Ｆの端子板Ｉとの間に収容され、電池Ｐのプラス電極は端子部材Ｆと接続し、また、電池Ｐのマイナス電極は端子部材Ｇと接続することになる。
【００１４】
特に、端子板Ｉの中央部には、電池Ｐの側面が入り得る横長な掛止孔Ｑが形成してあるので、電池Ｐは掛止突起Ｅと掛止孔Ｑとの間で保持されることになる（図１７実線位置）。
電池ＰをケースＣから取り出すには、指先で端子板Ｉを突起部Ｄ側へ傾斜状に引けばよく、電池Ｐの側面は掛止孔Ｑから外れ、端子部材Ｇに設けた端子板Ｏの上方への弾性押圧力によって上方へ押し出され、取り出しが可能となる。
【００１５】
【発明が解決しようとする課題】
上記する改良型の電池ホルダーでは、電池の交換に際してホルダー全体に無理な圧力が加わらない利点を有しているが、ケースＣにはプラス端子部材Ｆを連結して固定するための方形状の突起部Ｄが必要となるために、ケースＣ全体の形状が大きくなるとともに構造が複雑となるので、製造コストが高くなる問題を有していた。また、プラス端子部材Ｆは、下向きコ字形状の固定部Ｈと端子板Ｉとを一体に連設した構造であるので、製造工程、特に加工工程が多くなり、製造コストが高くなる問題を有していた。
【００１６】
また、改良型のホルダーに限らず従来の一般的な電池ホルダーは、電池の極性を問わず収容可能となっていた。即ち、電池Ｐは、図１８に示すように、プラス側電極Ｐ１内にマイナス電極Ｐ２を絶縁状態で一体化したものである。通常、ホルダー内に収容する際、プラス電極Ｐ１を上向き、マイナス電極Ｐ２を下向きにしてセットするが、気付かずにプラスとマイナスの電極を上下、逆にしてセットすることがある。このままではマイナス電極Ｐ１とケースＣ側のマイナス側端子部材Ｇとが接続しないので通電状態とはならず、従って、機器類が作動することがなく、不作動の原因を究明するのに時間を要するものであった。
【００１７】
更に、前記したように従来の電池ホルダーでは、マイナス電極Ｐ１を下向きにして斜めの状態で電池ＰをケースＣ内に嵌め入れるが、この時、図１９に示すように、瞬間的であるが、電池Ｐのプラス電極Ｐ１とマイナス電極Ｐ２とがケースＣのマイナス側端子部材Ｇに同時に接触してショートすることがある。このショートは、電池の寿命を縮めるとともに機器類のメモリーを破壊する原因となっていた。
【００１８】
本発明は、上記する従来の電池ホルダーの種々の問題点に鑑み、全体の構造を簡易化し、小型化して製造単価を低くするとともに電池の電極を上下逆向きにセットすることのない電池ホルダーを提供することを目的とするものである。
また、本発明は、電池をホルダー内にセットするに際し、ショートすることのない電池ホルダーを提供することを目的とするものである。
【００１９】
【課題を解決するための手段】
上記の目的を達成するために本発明は、合成樹脂のような絶縁材からなり、底板５上に周壁６を連設してボタン型電池２３の収容空間を形成したケース２と、弾性を有する導電性金属材からなり、垂直状に配設可能な方形状板体９の下部に連結板１０を連設するとともに連結板１０には端子ピン１１を延長方向に連設し、板体９の上部両側には、下面は水平状態とし、上面は先端方向へ下向き傾斜状とした一対の掛止片１２を突設した端子部材３と、弾性を有し、導電性金属材からなり、水平状に配設可能な方形状板体１５の両側に下方向へ直角に折曲した連結板１６を連設するとともに片側の連結板１６には端子ピン１７を延長して設け、板体１５には上方へ傾斜状に切り起こした端子板１８を連設した端子部材４とからなり、端子部材３は、板体９に突設した掛止片１２がケース２の内側を向くように立設して端子ピン１１をケース２の底板５から下方に突出し、端子部材５は、底板５上に水平状に設置して端子ピン１７を底板５から下方に突出し、端子部材３とは対称位置において周壁６上には電池を保持可能な掛止突起８を突設してある。
端子部材４には、端子ピン１７を有する連結板１６と端子板１８との間に電池２３の接触防止用孔２５を形成してある。
【００２０】
また本発明は、合成樹脂のような絶縁材からなり、底板５上に周壁６を連設してボタン型電池２３の収容空間を形成したケース２と、弾性を有する導電性金属材からなり、垂直状に配設可能な方形状板体９の下部に連結板１０を連設するとともに連結板１０には端子ピン１１を延長方向に連設し、板体９の上部両側には、下面は水平状態とし、上面は先端方向へ下向き傾斜状とした一対の掛止片１２を突設した端子部材３と、弾性を有し、導電性金属材からなり、水平状に配設可能な方形状板体１５の両側に下方向へ直角に折曲した連結板１６を連設するとともに片側の連結板１６には端子ピン１７を延長して設け、板体１５には上方へ傾斜状に切り起こした端子板１８を連設し、端子ピン１７を有する連結板１６と端子板１８との間に接触防止用孔２５を形成した端子部材４とからなり、端子部材３は、板体９に突設した掛止片１２がケース２の内側を向くように立設して端子ピン１１をケース２の底板５から下方に突出し、端子部材５は、底板５上に水平状に設置して端子ピン１７を底板５から下方に突出し、端子部材３とは対称位置において周壁６上には電池を保持可能な掛止突起８を突設するとともに底板５上には接触防止用孔２５から上方へ膨出可能な突起部２６を形成してある。
【００２１】
上記の各発明において、端子部材３は、板体９の側面にコ字状に切り欠いた端子板２７を掛止板１２と同じ方向へ上向き傾斜状に突設してある。
また、端子部材３の板体９は、電池２３の円周側面にそって湾曲させてある。
【００２２】
【発明の実施の形態】
以下、図面に従って、本発明の実施の形態を詳細に説明する。
図１、図２は本発明ホルダーの一実施形態を示すものであり、このホルダー１は、ボタン型電池を収容して保持可能なケース２と、電池のプラス電極と接続可能なプラス側端子部材３および電池のマイナス電極と接続可能なマイナス側端子部材４とから構成されている。
【００２３】
ケース２は、合成樹脂のような絶縁材からなっており、図３、図４に詳細を示すように、円形状の底板５上に周壁６を連設した全体として円盤型に形成してある。
底板５および周壁６で囲まれた円形状の空間内には図示していない電池を収容可能であり、また、周壁６の一部は外方向へ突出させて方形状の空間７を形成するとともに方形状空間７とは対称位置において周壁６上にはＬ字型に形成して上端部を内側（円形空間方向）へ水平に向け、電池を掛止して保持可能な一対の掛止突起８が突設してある。
方形状空間７内にはプラス側端子部材３が垂直状態で設置可能であり、また、底板５上にはマイナス側端子部材４が水平状態で設置可能である。
【００２４】
弾性を有し、導電性金属材からなる端子部材３は、図５（ａ）、（ｂ）、（ｃ）に示すように、垂直状に配設可能な方形状板体９の下部に連結板１０を面一状に連設するとともに連結板１０には配線基板への接続用端子ピン１１を延長方向に連設してあり、また、板体９の上部両側には一対の掛止片１２が同じ方向へ水平状態で突設してある。
この掛止片１２は、図示のように下面は水平状態であって前記の掛止突起８の下面とほぼ同じ高さ位置にあり、また、上面は先端方向へ下向き傾斜状態に形成してある。
【００２５】
前記した方形空間７内において底板５にはスリット１３が形成してあり、上記する端子部材３は、掛止片１２をケース２の内側（円形空間方向）に向けた状態で連結板１０をスリット１３に差し込めばケース２内に立設状態となり、端子ピン１１はケース２の底板５から下方に突出する（図２参照）。従って、この端子部材３と前記の掛止突起８とは相対向した位置関係となる。
そして、連結板１０をスリット１３内に差し込んだ時、板体９の正面はケース２の内側に向いて円形状周壁６のほぼ内周面上に位置し、ケース２内に電池を収容した時、電池のプラス電極と接触することになる。
【００２６】
連結板１０の側面にはコの字型に切り欠いた固定片１４が形成してあり、この固定片１４を連結板１０の片側外方向へ上向き傾斜状に切り起こした状態でスリット１３内に差し込めば、固定片１４は連結板１０と面一状となってスリット１３内に押し込まれる。所定位置まで差し込むと、固定片１４は外方向へ傾斜状に突出するので、固定片１４の先端縁は弾性作用によりスリット１３の内壁に圧接し、連結板１０はスリット１３から上方へ抜け出ることがなく固定状態となる。固定片１４が傾斜状に突出可能なように、スリット１３の巾は、連結板１０の板厚よりも少し大きくなっている。
【００２７】
弾性を有し、導電性金属材からなる端子部材４は、図６（ａ）、（ｂ）、（ｃ）に示すように、水平状に配設可能な方形状板体１５の両側に下方向へ直角に折曲した連結板１６を連設するとともに片側の連結板１６には配線基板への接続用端子ピン１７を延長して設ける。そして、板体１５の平面部には、板体１５との連結基部から先端側を上方へ傾斜状に切り起こした端子板１８が連設してある。
【００２８】
底板５には、方形状空間７と掛止突起８との間においてスリット１９およびスリット２０が形成してある。上記する端子部材４は、端子ピン１７を有しない連結板１６をスリット１３に近い位置のスリット１９に差し込むとともに端子ピン１７を有する連結板１６は掛止突起８間に位置するスリット２０内に差し込み、端子ピン１７は底板５から下方に突出させる（図２参照）。従って、端子部材４は、底板５と平行状に設置されることになり、端子板１８は上方へ傾斜に立ち上がり、電池のマイナス電極と接触可能となる。
【００２９】
両連結板１６の側面にもコの字型に切り欠いて外方向へ上向き傾斜状に切り起こした固定片２１が形成してあるので、連結板１６をスリット１９およびスリット２０内にそれぞれ差し込んだ時、弾性作用により固定片２１の先端縁がスリット１９、２０の内壁に圧接するので、連結板１６は底板５から上方へ抜け出ることがなく固定状態となる。これは、前記した連結板１０の固定片１４とスリット１３との関係と同じである。
【００３０】
尚、図５（ｂ）および図６（ｂ）にそれぞれ示すように、連結板１０および連結板１６には、固定片１４および固定片２１に対応する位置において両側に切り起こし片２２を形成し、固定片１４および固定片２１とともに切り起こし片２２をスリット１３、スリット１９およびスリット２０の内壁に圧接させるようにしてもよい。
【００３１】
本発明電池ホルダーは上記の構成であり、次ぎに使用状態について説明する。ケース２の底板５から下方に突出した端子ピン１１、１７は、図示しない配線基板の所定の位置に半田付けで固定する。
配線基板に設置されたホルダー１のケース２内に電池をセットするには、図７に示すように、電池２３のプラス電極２３ａを上向き、マイナス電極２３ｂを下向きにした状態で斜めに掛止突起８の下側に差し込み、電池２３の反対側の端部下面を端子部材３の掛止片１２の上面に載せて押し下げる。
【００３２】
電池２３は、プラス電極２３ａの側面には、マイナス電極２３ｂに向けて湾曲面２３ｃが形成してあり、かつ、掛止片１２の上面は下向き傾斜状となっているので、電池２３の湾曲面２３ｃが端子部材３の板体９に当接し、板体９を図７において左方向、即ち、方形状空間７を囲む側壁２４方向へ押し曲げるようになる。このため、板体９に面した側壁２４の内側は、外方向への上向き傾斜面２４ａあるいは上向き湾曲面２４ａが形成してある。
【００３３】
電池２３を更に押し下げると、電池２３の湾曲面２３ｃは掛止片１２の上面に載り、湾曲面２３ｃは掛止片１２上を滑って板体９は更に外方向へ傾斜あるいは湾曲した状態で押し出される。更に、電池２３を押し下げれば、電池２３の湾曲端部は掛止片１２を通過して端子部材４の端子板１８上に載る。
【００３４】
電池２３が掛止片１２を通過した時点で端子部材３は常態の垂直位置に復帰するので、図８に示すように、端子板１８は上方への弾性に抗して平面状に押し下げられ、電池２３は、端子部材３と掛止突起８との間においてケース２の円形空間内に収容されることになる。
従って、電池２３のプラス電極２３ａはプラス側端子部材３と、電池２３のマイナス電極２３ｂはマイナス側端子部材４とそれぞれに接触するので通電状態となる。
【００３５】
電池２３を交換のためにケース２から取り出すには、端子部材３の先端を指先で側壁２４の傾斜面あるいは湾曲面にそって外方向へ押し曲げればよく、電池２３の端部は掛止片１２の掛止状態から解かれ、同時に端子部材４の端子板１８の上方への弾性作用が加わって電池２３は上方へ斜めの状態で押し出されることになる。
【００３６】
電池２３をケース２内にセットする際、誤って電池２３の電極を上下逆向きにして差し込んだ場合、即ち、プラス電極２３ａを下向きにした場合、電池２３のプラス電極２３ａの端部平面が掛止片１２の上面にほぼ平行状態で突き当たり、電池２３の端部は掛止片１２の上面を滑ることがないので、板体９は外方向へ傾斜状あるいは湾曲状に押し出されることがない。従って、電池２３の電極を上下逆向きにした場合には、ケース２内に電池２３を嵌め込むことができないことになる。
【００３７】
図９（ａ）、（ｂ）は、本発明において使用するマイナス側端子部材４の他の実施形態を示すものであり、前記の実施形態と同じ部分は同じ符号を使用している。
この実施形態における端子部材４は、板体１５に方形状あるいは円形状の接触防止用孔２５を形成したことを特徴としている。
この孔２５は、端子ピン１７を有する連結板１６と端子板１８との間に形成してあるので、前記のように電池２３を斜めの状態で掛止突起８の下方へ差し込んだ時、電池２３のプラス電極２３ａやマイナス電極２３ｂ等がマイナス側端子部材４に接触することがない。従って、電池２３がショートすることを防止できるものである。
【００３８】
図１０は、本発明電池ホルダー、特に、端子部材４とケース２の底板５との他の実施形態を示すものであり、前記の各実施形態と同じ部分は同じ符号を使用している。
この実施形態においては、前記の実施形態の如く、端子部材４に電池２３の接触防止用の孔２５を形成するとともにケース２の底板５には、孔２５内に入って端子部材４よりも上方へ水平状に膨出可能な接触防止用の突起部２６を形成したことを特徴としている。
【００３９】
このように、底板５の上面の一部を孔２５から端子部材４の上方へ膨出させるようにしたので、電池２３を斜めの状態でケース２内に差し込んだ時、電池２３のプラス電極２３ａやマイナス電極２３ｂ等は端子部材４に接触することがなく、従って、ショート現象を生ずることがない。
尚、この場合の孔２５は、少なくとも、両側の連結板１６にそって縦長な形状であればよく、突起部２６が端子部材４と電池２３との接触を防止可能である。
【００４０】
図１１（ａ）、（ｂ）は、プラス側端子部材３の他の実施形態を示すものであり、前記の実施形態と同じ部分は同じ符号を使用している。
この実施形態においては、板体９の側面に上向きコ字状の切り欠きを形成して端子板２７とし、この端子板２７を掛止板１２と同じ方向へ上向き傾斜状に突設したことを特徴としている。
【００４１】
このような構成としたことにより、図１２に示す如く、電池２３をケース２内に嵌め込んだ時、電池２３のプラス電極２３ａの側面が端子板２７と接するので、端子部材３と電池２３のプラス電極２３ａとの接続状態が良好になるとともに電池２３は端子板２６の弾性作用によって掛止突起８方向に押し込まれるので、電池２３を安定して保持することができる。
【００４２】
図１３は、プラス側端子部材３の更に他の実施形態を示すものであり、前記の実施形態と同じ部部は同じ符号を使用している。
この実施形態においては、板体９を電池２３のプラス電極２３ａの円周側面にそって湾曲面２８を形成したことを特徴としている。
【００４３】
このような構成としたことにより、図１３に示すように、ケース２内に電池２３を収容した時、板体９と電池２３のプラス電極２３ａとの接触面積が大きくなり、接続状態が安定したものとなる。
板体９を上記のように湾曲させた場合、その下方に連設する連結板１０は平板状のままであってもよく、あるいは、板体９と同じ方向に湾曲させてもよい。連結板１０を湾曲させた場合には、ケース２の底板５に形成したスリット１３も連結板１０と同じく湾曲させればよい。尚、端子ピン１１は細長い形状であるので、湾曲させる必要はない。
この実施形態における端子部材３においても、板体９に端子板２７を形成してもよいことは勿論である。
【００４４】
【発明の効果】
以上、説明した本発明によれば、底板５上に周壁６を形成し、ボタン型電池２３を収容して保持可能な円形空間を有するケース２内にプラス側端子部材３を立設状態で設置するとともにケース２の底板５にはマイナス側端子部材４を水平状態で設置して端子部材３および端子部材４の端子ピン１１、１７は底板５から下方に突出させてあるので配線基板に固定可能である。
【００４５】
また、端子部材３の上部両側には、下面を水平状態とし、上面を先端方向へ下向き傾斜状態とした掛止片１２を突設し、この掛止片１２はケース２の内側に向けた状態で端子部材３の板体９の正面を円形空間に向けて立設し、端子部材３とは対称位置において周壁６上には電池２３を保持可能な掛止突起８を設けたことにより、電池２３のマイナス電極２３ｂを下向きにしてケース２内に嵌め入れる時、電池２３を傾斜状態にして掛止突起８内に入れて電池２３を水平状態に押し下げれば、電池２３のプラス電極２３ａの湾曲面２３ｃが端子部材３を外方向へ押すとともに掛止片１２上を滑るので、電池２３は掛止片１２を通過してケース２内に収容されることになる。
ケース３２の円形空間内に収容された電池２３のプラス電極２３ａはプラス側端子部材３と、電池２３のマイナス電極２３ｂはマイナス端子部材４と接続することになる。
【００４６】
もし、誤って電池２３の電極を上下逆向きにしてプラス電極２３ａを下向きにしてケース２内に収容しようとした場合、プラス電極２３ａの端部平面が掛止片１２の上面にほぼ平行状態で突き当たるので、端子部材３は外方向へ押し出されることがなく、電池２３無理に押し下げてもケース２内には収容できないことになる。
【００４７】
端子部材４には、電池２３との接触防止用孔２５を形成しておけば、電池２３を斜めにしてケース２内に入れる時、電池２３のプラス電極２３ａとマイナス電極２３ｂとが同時に端子部材４に接触することがないので、電池２３がショートすることがない。
【００４８】
また、端子部材４には電池２３との接触防止用の孔２５を形成するとともにケース２の底板５には、孔２５から上方へ水平状に膨出可能な突起部２６を設けておけば、電池２３を斜めにしてケース２内に入れる時、電池２３のプラス電極２３ａとマイナス電極２３ｂとが突起部２６上を通るので、電極２３ａおよび電極２３ｂは同時に端子部材４に接触することがなく、電池２３がショートすることがない。
【００４９】
更には、端子部材３の板体９側面に、掛止片１２と同じ方向へ向けて端子板２７を上向き傾斜状に切り起こして突設しておけば、電池２３をケース２内に収容した時、端子部材３と電池２３との接続状態が良くなるとともに電池２３は端子板２７の弾性によって掛止突起８方向へ押し込まれるので、電池２３はケース２内において安定したものとなる。
また、端子部材３の板体９は、電池２３のプラス電極２３ａの円周側面にそった湾曲面２８とすることにより端子部材３と電池２３との接続は安定する。
【図面の簡単な説明】
【図１】本発明ホルダーの一実施形態を示す平面図である。
【図２】本発明ホルダーの一実施形態を示す図１のＸ−Ｘ線断面図である。
【図３】本発明ホルダーのケースの平面図である。
【図４】本発明ホルダーのケースの正面図である。
【図５】本発明ホルダーに使用するプラス側端子部材を示し、（ａ）は斜視図、（ｂ）は正面図、（ｃ）は側面図である。
【図６】本発明ホルダーに使用するマイナス端子部材を示し、（ａ）は組み立てた状態の斜視図、（ｂ）は展開平面図、（ｃ）は組み立てた状態の側面図である。
【図７】本発明ホルダー内に電池を収容する状態の断面図である。
【図８】本発明ホルダー内に電池を収容した状態の断面図である。
【図９】本発明ホルダーに使用するマイナス端子部材の他の実施形態を示し、（ａ）は展開平面図、（ｂ）は組み立てた状態の断面図である。
【図１０】本発明ホルダーの他の実施形態を示す断面図である。
【図１１】本発明ホルダーに使用するプラス端子部材の他の実施形態を示し、（ａ）は正面図、（ｂ）は側面図である。
【図１２】図１１に示す端子部材を使用したホルダーの断面図である。
【図１３】プラス端子部材の更に他の実施形態を示す平面図である。
【図１４】従来の電池ホルダーの一例を示し、（ａ）はホルダー全体の斜視図、（ｂ）は電池を収容した状態の平面図である。
【図１５】本願出願人の提供になる従来の電池ホルダーを示し、（ａ）はホルダー全体の斜視図、（ｂ）は電池を収容した状態の斜視視である。
【図１６】図１５に示すホルダーで使用するプラス端子部材の斜視図である。
【図１７】図１５に示すホルダーで使用するマイナス端子部材の斜視図である。
【図１８】図１５に示すホルダー内に電池を収容した状態の断面図である。
【図１９】ボタン型電池の正面図である。
【図２０】電池と端子部材との接続状態を示す要部の断面図である。
【符号の説明】
１  ホルダー
２  ケース
３  プラス端子部材
４  マイナス端子部材
５  底板
６  周壁
７  方形空間
８  掛止突起
９  方形状板体
１０  連結板
１１  端子ピン
１２  掛止片
１３  スリット
１４  固定片
１５  方形状板体
１６  連結板
１７  端子ピン
１８  端子板
１９  スリット
２０  スリット
２１  固定片
２２  切り起こし片
２３  電池
２４  側壁
２５  接触防止用孔
２６  接触防止用突起部
２７  端子板
２８  湾曲面
【図１】
0003668924.tif 000002
【図２】
0003668924.tif 000003
【図３】
0003668924.tif 000004
【図４】
0003668924.tif 000005
【図５】
0003668924.tif 000006
【図６】
0003668924.tif 000007
【図７】
0003668924.tif 000008
【図８】
0003668924.tif 000009
【図９】
0003668924.tif 000010
【図１０】
0003668924.tif 000011
【図１１】
0003668924.tif 000012
【図１２】
0003668924.tif 000013
【図１３】
0003668924.tif 000014
【図１４】
0003668924.tif 000015
【図１５】
0003668924.tif 000016
【図１６】
0003668924.tif 000017
【図１７】
0003668924.tif 000018
【図１８】
0003668924.tif 000019
【図１９】
0003668924.tif 000020
【図２０】
0003668924.tif 000021